(57)【要約】【課題】着信の際にユーザが容易に操作を行うことができる携帯端末装置、プログラムおよび携帯端末装置の制御方法を提供する。【解決手段】携帯電話機１は、ディスプレイ３と、通信部３３と、音声入力部２８と、音声出力部２９と、携帯電話機１が把持されたことを検出するグリップ検知部２６と、携帯電話機１がユーザに近付けられたことを検出する近接検知部２７と、制御部２１と、を備える。制御部２１は、電話の着信後に、携帯電話機１が把持されていないことをグリップ検知部２６により検知されると、応答を保留状態にし、携帯電話機１がユーザに近付けられたことを近接検知部２７により検出されると、電話の着信に応答し通話の処理を実行する。【選択図】図１３
2014127754.tif 000002
【特許請求の範囲】
【請求項１】
表示部と、
電話の着信を受け付ける通信部と、
ユーザによる音声を受け付ける音声入力部と、
前記電話の通話にかかる音声を出力する音声出力部と、
携帯端末装置が把持されたことを検出する把持検出部と、
前記通信部が着信を受け付けた場合において前記携帯端末装置が把持されたことを前記把持検出部により検知された後、前記携帯端末装置が把持されていないことを前記把持検出部により検知されると、ユーザが電話に出られないことを発信先に通知する処理を行う制御部と、を備える、
ことを特徴とする携帯端末装置。
【請求項２】
請求項１に記載の携帯端末装置において、
前記制御部は、前記電話の着信時に前記携帯端末装置が把持されたことを前記把持検出部により検知されていない場合、前記表示部を非表示状態にし、その後、前記携帯端末装置が把持されたことを前記把持検出部により検知された場合、前記表示部を表示状態にする、
ことを特徴とする携帯端末装置。
【請求項３】
請求項２に記載の携帯端末装置において、
前記制御部は、前記表示部を表示状態としている場合において、前記携帯端末装置が手離されたことを前記把持検出部により検知されると、前記表示部を非表示状態にする、
ことを特徴とする携帯端末装置。
【請求項４】
請求項１に記載の携帯端末装置において、
前記制御部は、前記電話の着信時に前記携帯端末装置が把持されたことを前記把持検出部により検知されていない場合、前記表示部に前記電話の発信者の情報を含まない第１の着信画面を表示させ、その後、前記携帯端末装置が把持されたことを前記把持検出部により検知された場合、前記表示部に前記電話の発信者の情報を含む第２の着信画面を表示させる、
ことを特徴とする携帯端末装置。
【請求項５】
請求項１に記載の携帯端末装置において、
報知部をさらに備え、
前記制御部は、前記電話の着信時に前記携帯端末装置が把持されたことを前記把持検出部により検知されていない場合、前記電話の着信があったことの報知を前記報知部に行わせ、その後、前記携帯端末装置が把持されたことを前記把持検出部により検知された場合、前記報知部による前記報知を停止させる、
ことを特徴とする携帯端末装置。
【請求項６】
表示部と、
電話の着信を受け付ける通信部と、
ユーザによる音声を受け付ける音声入力部と、
前記電話の通話にかかる音声を出力する音声出力部と、
携帯端末装置が把持されたことを検出する把持検出部と、
前記電話の通話が可能なように前記携帯端末装置がユーザに近付けられたことを検出する近接検出部と、
前記通信部が電話の着信を受け付けた場合において前記携帯端末装置が把持されたことを前記把持検出部により検知された後、前記携帯端末装置がユーザに近付けられたことを
前記近接検出部により検出されると、前記電話の着信に応答し通話の処理を実行する制御部と、備える、
ことを特徴とする携帯端末装置。
【請求項７】
請求項６に記載の携帯端末装置において、
前記制御部は、前記携帯端末装置が把持されたことを前記把持検出部により検知された後、前記携帯端末装置がユーザに近付けられたことを前記近接検出部により検出された場合、前記表示部を非表示状態にする、
ことを特徴とする携帯端末装置。
【請求項８】
請求項６または７に記載の携帯端末装置において、
前記表示部を非表示状態としている場合において、前記携帯端末装置がユーザから遠ざけられたことを前記近接検出部により検出された場合、前記表示部を表示状態にする、
ことを特徴とする携帯端末装置。
【請求項９】
請求６に記載の携帯端末装置において、
前記通信部は、前記音声入力部により受け付けられた音声を通話の相手に送信し、
前記制御部は、前記通話の処理の開始後、前記携帯端末装置がユーザから遠ざけられたことを前記近接検出部により検出された場合、前記音声入力部により受け付けられた音声の送信を停止する、
ことを特徴とする携帯端末装置。
【請求項１０】
請求項９に記載の携帯端末装置において、
前記制御部は、前記音声の送信を停止している間に、前記携帯端末装置がユーザに近付けられたことを前記近接検出部により検出された場合、前記音声の送信を再開する、
ことを特徴とする携帯端末装置。
【請求項１１】
請求項６ないし１０の何れか一項に記載の携帯端末装置において、
前記表示部が第１の面に配置される筺体をさらに備え、
前記第１の面と背向する第２の面に配置され、ユーザによる操作を検出する検出部を備え、
前記制御部は、前記検出部により所定の操作が検出されたことに基づいて、前記音声出力部により出力される音声の音量を増減させる、
ことを特徴とする携帯端末装置。
【請求項１２】
請求項６ないし１１の何れか一項に記載の携帯端末装置において、
前記制御部は、前記電話の着信時に前記携帯端末装置が把持されたことを前記把持検出部により検知されていない場合、前記表示部を非表示状態にし、その後、前記携帯端末装置が把持されたことを前記把持検出部により検知された場合、前記表示部を表示状態にする、
ことを特徴とする携帯端末装置。
【請求項１３】
請求項６ないし１１の何れか一項に記載の携帯端末装置において、
前記制御部は、前記電話の着信時に前記携帯端末装置が把持されたことを前記把持検出部により検知されていない場合、前記表示部に前記電話の発信者の情報を含まない第１の着信画面を表示させ、その後、前記携帯端末装置が把持されたことを前記把持検出部により検知された場合、前記表示部に前記電話の発信者の情報を含む第２の着信画面を表示させる、
ことを特徴とする携帯端末装置。
【請求項１４】
請求項６に記載の携帯端末装置において、
報知部をさらに備え、
前記制御部は、前記電話の着信時に前記携帯端末装置が把持されたことを前記把持検出部により検知されていない場合、前記電話の着信があったことの報知を前記報知部に行わせ、その後、前記携帯端末装置が把持されたことを前記把持検出部により検知された場合、前記報知部による前記報知を停止させる、
ことを特徴とする携帯端末装置。
【請求項１５】
表示部と、電話の着信を受け付ける通信部と、ユーザによる音声を受け付ける音声入力部と、前記電話の通話にかかる音声を出力する音声出力部と、携帯端末装置が把持されたことを検出する把持検出部と、を備える携帯端末装置のコンピュータに、
前記通信部が着信を受け付けた場合において前記携帯端末装置が把持されたことを前記把持検出部により検知された後、前記携帯端末装置が把持されていないことを前記把持検出部により検知されると、ユーザが電話に出られないことを発信先に通知する処理を行う機能を、
付与するプログラム。
【請求項１６】
表示部と、電話の着信を受け付ける通信部と、ユーザによる音声を受け付ける音声入力部と、前記電話の通話にかかる音声を出力する音声出力部と、携帯端末装置が把持されたことを検出する把持検出部と、前記電話の通話が可能なように前記携帯端末装置がユーザに近付けられたことを検出する近接検出部と、を備える携帯端末装置のコンピュータに、
前記通信部が電話の着信を受け付けた場合において前記携帯端末装置が把持されたことを前記把持検出部により検知された後、前記携帯端末装置がユーザに近付けられたことを前記近接検出部により検出されると、前記電話の着信に応答し通話の処理を実行する機能を、
付与するプログラム。
【請求項１７】
表示部と、電話の着信を受け付ける通信部と、ユーザによる音声を受け付ける音声入力部と、前記電話の通話にかかる音声を出力する音声出力部と、携帯端末装置が把持されたことを検出する把持検出部と、を備える携帯端末装置の制御方法であって、
前記電話の着信後に前記携帯端末装置が把持されたことを前記把持検出部により検知された否かを検知するステップと、前記通信部が着信を受け付けた場合において前記携帯端末装置が把持されたことを前記把持検出部により検知された後、前記携帯端末装置が把持されていないことを前記把持検出部により検知されると、ユーザが電話に出られないことを発信先に通知する処理を行うステップを、
含む制御方法。
【請求項１８】
表示部と、電話の着信を受け付ける通信部と、ユーザによる音声を受け付ける音声入力部と、前記電話の通話にかかる音声を出力する音声出力部と、携帯端末装置が把持されたことを検出する把持検出部と、前記電話の通話が可能なように前記携帯端末装置がユーザに近付けられたことを検出する近接検出部と、を備える携帯端末装置の制御方法であって、
前記電話の着信後に前記携帯端末装置が把持されたことを前記把持検出部により検知されたか否かを検知するステップと、前記通信部が電話の着信を受け付けた場合において前記携帯端末装置が把持されたことを前記把持検出部により検知された後、前記携帯端末装置がユーザに近付けられたことを前記近接検出部により検出されると、前記電話の着信に応答し通話の処理を実行するステップを、
含む制御方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適なプログラムおよび制御方法に関する。
【背景技術】
【０００２】
従来、ディスプレイ上にタッチパネルを配し、タッチパネルに対するユーザのタッチ操作に基づいて、各種のアプリケーションプログラム（以下、単に「アプリケーション」と称する。）を実行する携帯電話機が知られている。かかる携帯電話機では、略長方形状の筺体の正面に筺体より僅かに小さな略長方形状のディスプレイが形成された構成が採られ得る（たとえば、特許文献１参照）。
【先行技術文献】
【特許文献】
【０００３】
【特許文献１】特開２０１２−２０３８９５号公報
【発明の概要】
【発明が解決しようとする課題】
【０００４】
上記の携帯電話機では、ユーザは、電話の着信時において、受話、応答保留等を行うために、ディスプレイに表示されたアイコンに対して所定のタッチ操作を行う必要がある。近年、携帯電話機の多機能化により、ディスプレイに多数のアイコンが表示される技術、そしてフリック操作によって複数の機能を切り替える技術が採用される傾向にある。この場合、ユーザは、着信にかかる煩雑な操作手順を覚える必要がある。特に、着信時は速やかに操作を行う必要があり、不慣れなユーザは、適正な操作を行うことが困難である。
【０００５】
そこで、本発明は、着信の際にユーザが容易に操作を行うことができる携帯端末装置、プログラムおよび携帯端末装置の制御方法を提供することを目的とする。
【課題を解決するための手段】
【０００６】
本発明の第１の態様に係る携帯端末装置は、表示部と、電話の着信を受け付ける通信部と、ユーザによる音声を受け付ける音声入力部と、前記電話の通話にかかる音声を出力する音声出力部と、携帯端末装置が把持されたことを検出する把持検出部と、前記通信部が着信を受け付けた場合において前記携帯端末装置が把持されたことを前記把持検出部により検知された後、前記携帯端末装置が把持されていないことを前記把持検出部により検知されると、ユーザが電話に出られないことを発信先に通知する処理を行う制御部と、を備える。
【０００７】
本態様に係る携帯端末装置において、前記制御部は、前記電話の着信時に前記携帯端末装置が把持されたことを前記把持検出部により検知されていない場合、前記表示部を非表示状態にし、その後、前記携帯端末装置が把持されたことを前記把持検出部により検知された場合、前記表示部を表示状態にするような構成とされ得る。
【０００８】
本態様に係る携帯端末装置において、前記制御部は、前記表示部を表示状態としている場合において、前記携帯端末装置が手離されたことを前記把持検出部により検知されると、前記表示部を非表示状態にするような構成とされ得る。
【０００９】
本態様に係る携帯端末装置において、前記制御部は、前記電話の着信時に前記携帯端末
装置が把持されたことを前記把持検出部により検知されていない場合、前記表示部に前記電話の発信者の情報を含まない第１の着信画面を表示させ、その後、前記携帯端末装置が把持されたことを前記把持検出部により検知された場合、前記表示部に前記電話の発信者の情報を含む第２の着信画面を表示させるような構成とされ得る。
【００１０】
本態様に係る携帯端末装置において、報知部をさらに備えるような構成とされ得る。この場合、前記制御部は、前記電話の着信時に前記携帯端末装置が把持されたことを前記把持検出部により検知されていない場合、前記電話の着信があったことの報知を前記報知部に行わせ、その後、前記携帯端末装置が把持されたことを前記把持検出部により検知された場合、前記報知部による前記報知を停止させる。
【００１１】
本発明の第２の態様に係る携帯端末装置は、表示部と、電話の着信を受け付ける通信部と、ユーザによる音声を受け付ける音声入力部と、前記電話の通話にかかる音声を出力する音声出力部と、携帯端末装置が把持されたことを検出する把持検出部と、前記電話の通話が可能なように前記携帯端末装置がユーザに近付けられたことを検出する近接検出部と、前記通信部が電話の着信を受け付けた場合において前記携帯端末装置が把持されたことを前記把持検出部により検知された後、前記携帯端末装置がユーザに近付けられたことを前記近接検出部により検出されると、前記電話の着信に応答し通話の処理を実行する制御部と、備える。
【００１２】
本態様に係る携帯端末装置において、前記制御部は、前記携帯端末装置が把持されたことを前記把持検出部により検知された後、前記携帯端末装置がユーザに近付けられたことを前記近接検出部により検出された場合、前記表示部を非表示状態にするような構成とされ得る。
【００１３】
本態様に係る携帯端末装置において、前記制御部は、前記表示部を非表示状態としている場合において、前記携帯端末装置がユーザから遠ざけられたことを前記近接検出部により検出された場合、前記表示部を表示状態にするような構成とされ得る。
【００１４】
本態様に係る携帯端末装置において、前記通信部は、前記音声入力部により受け付けられた音声を通話の相手に送信し、前記制御部は、前記通話の処理の開始後、前記携帯端末装置がユーザから遠ざけられたことを前記近接検出部により検出された場合、前記音声入力部により受け付けられた音声の送信を停止するような構成とされ得る。
【００１５】
本態様に係る携帯端末装置において、前記制御部は、前記音声の送信を停止している間に、前記携帯端末装置がユーザに近付けられたことを前記近接検出部により検出された場合、前記音声の送信を再開するような構成とされ得る。
【００１６】
本態様に係る携帯端末装置は、前記表示部が第１の面に配置される筺体をさらに備え、前記第１の面と背向する第２の面に配置され、ユーザによる操作を検出する検出部を備えるような構成とされ得る。この場合、前記制御部は、前記検出部により所定の操作が検出されたことに基づいて、前記音声出力部により出力される音声の音量を増減させる。
【００１７】
本態様に係る携帯端末装置において、前記制御部は、前記電話の着信時に前記携帯端末装置が把持されたことを前記把持検出部により検知されていない場合、前記表示部を非表示状態にし、その後、前記携帯端末装置が把持されたことを前記把持検出部により検知された場合、前記表示部を表示状態にするような構成とされ得る。
【００１８】
本態様に係る携帯端末装置において、前記制御部は、前記電話の着信時に前記携帯端末装置が把持されたことを前記把持検出部により検知されていない場合、前記表示部に前記
電話の発信者の情報を含まない第１の着信画面を表示し、その後、前記携帯端末装置が把持されたことを前記把持検出部により検知された場合、前記表示部に前記電話の発信者の情報を含む第２の着信画面を表示させるような構成とされ得る。
【００１９】
本態様に係る携帯端末装置は、報知部をさらに備えるような構成とされ得る。この場合、前記制御部は、前記電話の着信時に前記携帯端末装置が把持されたことを前記把持検出部により検知されていない場合、前記電話の着信があったことの報知を前記報知部に行わせ、その後、前記携帯端末装置が把持されたことを前記把持検出部により検知された場合、前記報知部による前記報知を停止させる。
【００２０】
本発明の第３の態様に係るプログラムは、表示部と、電話の着信を受け付ける通信部と、ユーザによる音声を受け付ける音声入力部と、前記電話の通話にかかる音声を出力する音声出力部と、携帯端末装置が把持されたことを検出する把持検出部と、を備える携帯端末装置のコンピュータに、前記通信部が着信を受け付けた場合において前記携帯端末装置が把持されたことを前記把持検出部により検知された後、前記携帯端末装置が把持されていないことを前記把持検出部により検知されると、ユーザが電話に出られないことを発信先に通知する処理を実行する機能を、付与する。
【００２１】
本発明の第４の態様に係るプログラムは、表示部と、電話の着信を受け付ける通信部と、ユーザによる音声を受け付ける音声入力部と、前記電話の通話にかかる音声を出力する音声出力部と、携帯端末装置が把持されたことを検出する把持検出部と、前記電話の通話が可能なように前記携帯端末装置がユーザに近付けられたことを検出する近接検出部と、を備える携帯端末装置のコンピュータに、前記通信部が電話の着信を受け付けた場合において前記携帯端末装置が把持されたことを前記把持検出部により検知された後、前記携帯端末装置がユーザに近付けられたことを前記近接検出部により検出されると、前記電話の着信に応答し通話の処理を実行する機能を、付与する。
【００２２】
本発明の第５の態様は、表示部と、電話の着信を受け付ける通信部と、ユーザによる音声を受け付ける音声入力部と、前記電話の通話にかかる音声を出力する音声出力部と、携帯端末装置が把持されたことを検出する把持検出部と、を備える携帯端末装置の制御方法に関する。本態様に係る制御方法は、前記電話の着信後に前記携帯端末装置が把持されたことを検知された否かを前記把持検出部により検知するステップと、前記通信部が着信を受け付けた場合において前記携帯端末装置が把持されたことを前記把持検出部により検知された後、前記携帯端末装置が把持されていないことを前記把持検出部により検知されると、ユーザが電話に出られないことを発信先に通知する処理を行うステップを、含む。
【００２３】
本発明の第６の態様は、表示部と、電話の着信を受け付ける通信部と、ユーザによる音声を受け付ける音声入力部と、前記電話の通話にかかる音声を出力する音声出力部と、携帯端末装置が把持されたことを検出する把持検出部と、前記電話の通話が可能なように前記携帯端末装置がユーザに近付けられたことを検出する近接検出部と、を備える携帯端末装置の制御方法に関する。本態様に係る制御方法は、前記電話の着信後に前記携帯端末装置が把持されたことを前記把持検出部により検知されたか否かを検知するステップと、前記通信部が電話の着信を受け付けた場合において前記携帯端末装置が把持されたことを前記把持検出部により検知された後、前記携帯端末装置がユーザに近付けられたことを前記近接検出部により検出されると、前記電話の着信に応答し通話の処理を実行するステップを、含む。
【発明の効果】
【００２４】
本発明によれば、着信の際にユーザが容易に操作を行うことができる携帯端末装置、プログラムおよび携帯端末装置の制御方法を提供することができる。
【００２５】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２６】
【図１】実施の形態に係る、携帯電話機の構成を示す図である。
【図２】実施の形態に係る、携帯電話機の全体構成を示すブロック図である。
【図３】実施の形態に係る、携帯電話機の構成を示す図である。
【図４】実施の形態に係る、携帯電話機の構成を示す図である。
【図５】実施の形態に係る、携帯電話機の構成を示す図である。
【図６】実施の形態に係る、携帯電話機をグリップした状態を示す図である。
【図７】変更例に係る、携帯電話機の構成を示す図である。
【図８】変更例に係る、携帯電話機の構成を示す図である。
【図９】変更例に係る、携帯電話機の構成を示す図である。
【図１０】実施の形態に係る、着信制御処理を示すフローチャートである。
【図１１】実施の形態に係る、着信制御処理を示すフローチャートである。
【図１２】実施の形態に係る、着信制御処理を示すフローチャートである。
【図１３】実施の形態に係る、携帯電話機のディスプレイの画面表示例を示す図である。
【図１４】実施の形態に係る、携帯電話機のディスプレイの画面表示例を示す図である。
【図１５】変更例１に係る、着信制御処理を示すフローチャートである。
【図１６】変更例１に係る、携帯電話機のディスプレイの画面表示例を示す図である。
【図１７】変更例２に係る、着信制御処理を示すフローチャートである。
【図１８】変更例２に係る、携帯電話機のディスプレイの画面表示例を示す図である。
【図１９】変更例３に係る、着信制御処理を示すフローチャートである。
【図２０】変更例４に係る、着信制御処理を示すフローチャートである。
【図２１】変更例４に係る、携帯電話機のディスプレイの画面表示例を示す図である。
【発明を実施するための形態】
【００２７】
以下、本発明の実施形態について、図面を参照して説明する。
【００２８】
図１（ａ）、（ｂ）および（ｃ）は、それぞれ、携帯電話機１の正面図、背面図および右側面図である。以下、説明の便宜上、図１（ａ）〜（ｃ）に示すように、キャビネット２の長手方向を上下方向と定義し、キャビネット２の短手方向を左右方向と定義する。
【００２９】
図１に示されるように、携帯電話機１は、キャビネット２と、ディスプレイ３と、フロントタッチパネル４と、マイクロフォン５と、通話スピーカ６と、バックタッチパネル７と、外部スピーカ８と、カメラ９と、電波送信アンテナ１０と、電界検知アンテナ１１、１２と、電波送受信アンテナ１３とを備えている。
【００３０】
キャビネット２は、正面から見て、ほぼ長方形状の輪郭を有する。キャビネット２の正面に、ディスプレイ３が配されている。ディスプレイ３には、各種の画像（画面）が表示される。ディスプレイ３は、たとえば、液晶ディスプレイである。ディスプレイ３は、有機ＥＬディスプレイ等、他の種類のディスプレイであってもよい。さらに、ディスプレイ３を覆うように、フロントタッチパネル４が配置されている。フロントタッチパネル４は、透明なシートという特徴を有する。フロントタッチパネル４として、静電容量式、超音波式、感圧式、抵抗膜式、光検知式等、各種方式のタッチパネルが用いられ得る。
【００３１】
キャビネット２の内部には、下端部にマイクロフォン５が配されており、上端部に通話スピーカ６が配されている。マイクロフォン５には、キャビネット２の正面に形成された
マイク孔５ａを通じて音声が入力される。マイクロフォン５は、入力された音に応じた電気信号を生成する。通話スピーカ６は、音を出力する。出力された音は、キャビネット２の正面に形成された出力孔６ａを通じて外部に放出される。通話の際には、通信先の機器（携帯電話機等）から受信された受話音声が通話スピーカ６から出力され、ユーザが発した発話音声がマイクロフォン５に入力される。尚、本実施例において、「音」は、音声（発話音声、受話音声を含む）、報知音などを含む。
【００３２】
キャビネット２の背面には、略長方形の輪郭を有する凹部２ａが形成され、この凹部２ａの裏面に、バックタッチパネル７が配置されている。バックタッチパネル７は、フロントタッチパネル４と同様、透明なシート状に形成されている。バックタッチパネル７として、静電容量式、超音波式、感圧式、抵抗膜式、光検知式等、各種方式のタッチパネルが用いられ得る。
【００３３】
キャビネット２の内部には、外部スピーカ８が配されている。キャビネット２の背面には、外部スピーカ８に対応する出力孔８ａが形成されている。外部スピーカ８から出力された音は、出力孔８ａを通じて外部に放出される。
【００３４】
キャビネット２の内部には、カメラ９が配されている。キャビネット２の背面には、レンズ窓９ａが設けられており、レンズ窓９ａを通じて被写体の像がカメラ９に取り込まれる。
【００３５】
キャビネット２の内部には、右側面近傍の位置に電波送信アンテナ１０が配置され、ており、また、左側面近傍の位置に電界検知アンテナ１１が配置されている。電波送信アンテナ１０は、第１の周期タイミングで微弱な電波を発生する。電波送信アンテナ１０から送信された電波によって生じる電界は、キャビネット２の右側面と左側面が、電界を導通する媒体によって接続されない状態では、電界検知アンテナ１１に検知されない。ユーザがキャビネット２の左右の側面を把持すると、把持した手が媒介となって、電波送信アンテナ１０から送信された電波によって生じた電界が電界検知アンテナ１１の方へと伝わり、電界検知アンテナ１１により電界が検知される。電界検知アンテナ１１は、電界を検知した場合に、検知信号を後述の制御部２１に出力する。尚、電界検知アンテナ１１は、電解を検知している間、第１の検知信号を制御部２１に出力してもよい。制御部２１は、第１の検知信号を受信している間、電界を検知していると判断してもよい。また、電界検知アンテナ１１は、電界を検知すると、第２の検知信号を制御部２１に出力し、その後、電界を検知しなくなると、第３の検知信号を制御部２１に出力してもよい。制御部２１は、第２の検知信号を受信すると電界が検知されたと判断し、その後、第３の検知信号を受信すると、電界の検知が終了したと判断してもよい。
【００３６】
キャビネット２の内部には、通話スピーカ６の近傍に電界検知アンテナ１２が配置されている。電波送信アンテナ１０は、第１の周期タイミングとは異なる第２の周期タイミングで微弱な電波を発生する。電波送信アンテナ１０から送信された電波によって生じる電界は、キャビネット２正面の上端部と右側面が、電界を導通する媒体によって接続されない状態では、電界検知アンテナ１２に検知されない。ユーザがキャビネット２を把持した状態で、ユーザの耳に通話スピーカ６を近付けると、手から耳までの人体が媒介となって、電波送信アンテナ１０から送信された電波によって生じた電界が電界検知アンテナ１２の方へと伝わり、電界検知アンテナ１２により電界が検知される。電界検知アンテナ１２は、電界を検知した場合に、検知信号を後述の制御部２１に出力する。
【００３７】
図２は、携帯電話機１の全体構成を示すブロック図である。携帯電話機１は、制御部２１と、記憶部２２と、画像出力部２３と、フロントタッチ検出部２４と、バックタッチ検出部２５と、グリップ検知部２６と、近接検知部２７と、音声入力部２８と、音声出力部
２９と、音声処理部３０と、撮影部３１と、キー入力部３２と、通信部３３を備えている。
【００３８】
記憶部２２は、ＲＯＭ、ＲＡＭ、外部メモリー等から構成される。記憶部２２には、各種のプログラムが記憶されている。記憶部２２に記憶されるプログラムは、携帯電話機１の各部を制御するための制御プログラムの他、各種アプリケーション（たとえば、電話、電子メール、電話帳、地図、ゲーム、スケジュール管理、等）を含む。プログラムは、メーカによって携帯電話機１の製造時に記憶部２２に記憶される他、ユーザによって通信網やメモリカード等の記憶媒体を介して記憶部２２に記憶される。
【００３９】
記憶部２２には、プログラムの実行の際、一時的に利用または生成されるデータを記憶する図示しないワーキング領域も含まれる。
【００４０】
制御部２１は、ＣＰＵ等から構成されている。制御部２１は、プログラムに従って、携帯電話機１を構成する各部（制御部２１と、記憶部２２と、画像出力部２３と、フロントタッチ検出部２４と、バックタッチ検出部２５と、グリップ検知部２６と、近接検知部２７と、音声入力部２８と、音声出力部２９と、音声処理部３０と、撮影部３１と、キー入力部３２と、通信部３３等）を制御する。
【００４１】
画像出力部２３は、図１に示すディスプレイ３等から構成される。画像出力部２３は、制御部２１からの制御信号と画像信号に基づき、ディスプレイ３に画像（画面）を表示する。
【００４２】
フロントタッチ検出部２４は、図１に示すフロントタッチパネル４を備える。フロントタッチ検出部２４は、図１に示すディスプレイ３へのユーザによるタッチ操作を、フロントタッチパネル４により検出する。すなわち、フロントタッチ検出部２４は、指が触れたディスプレイ３上の位置（タッチ位置）を検出し、検出したタッチ位置に応じた位置信号を制御部２１へ出力する。これによりユーザは、あたかもディスプレイ３を指で触れることにより携帯電話機１を制御しているように感じることができる。
【００４３】
ユーザは、ディスプレイ３に指を触れることにより各種のタッチ操作を行うことができる。タッチ操作の種類として、タップ操作、フリック操作、スライド操作、ロングタップ操作等が挙げられる。タップ操作は、ディスプレイ３に指を接触させた後、短時間のうちにディスプレイ３より指を離す操作である。フリック操作は、ディスプレイ３を指で任意の方向に弾く操作である。スライド操作は、ディスプレイ３に指を接触させたまま任意の方向へ移動させる操作である。フリック操作およびスライド操作は、タッチ位置の移動を伴うタッチ操作である。ロングタップ操作は、ディスプレイ３に指を接触させた後、しばらくの間接触を維持し、ディスプレイ３から指を離す操作である。
【００４４】
タッチ操作についてより具体的に説明する。たとえば、フロントタッチ検出部２４によりディスプレイ３に対するタッチ位置が検出された後、予め定めた第１時間以内にタッチ位置が検出されなくなった場合、即ち、ディスプレイ３より指を離す操作があった場合、制御部２１はタッチ操作をタップ操作と判定する。フロントタッチ検出部２４によりディスプレイ３に対するタッチ位置が検出され、予め定めた第２時間以内に予め定めた第１距離以上タッチ位置が移動した後、タッチ位置が検出されなくなった場合、制御部２１はタッチ操作をフリック操作と判定する。フロントタッチ検出部２４によりディスプレイ３に対するタッチ位置が検出された後、予め定めた第２距離以上タッチ位置が移動すると、制御部２１はタッチ操作をスライド操作と判定する。フロントタッチ検出部２４によりディスプレイ３に対するタッチ位置が検出された後、予め定めた第３時間以上タッチ位置が検出され続け、さらにその後、タッチ位置が検出されなくなった場合、制御部２１はタッチ
操作をロングタップ操作と判定される。
【００４５】
バックタッチ検出部２５は、図１に示すバックタッチパネル７を備える。バックタッチ検出部２５は、図１に示す凹部２ａへのユーザによるタッチ操作を、バックタッチパネル７により検出する。すなわち、バックタッチ検出部２５は、指が触れた凹部２ａ上の位置（タッチ位置）を検出し、検出したタッチ位置に応じた位置信号を制御部２１へ出力する。
【００４６】
ユーザは、凹部２ａに指を触れることにより、上記フロントタッチパネル４に対するタッチ操作と同様のタッチ操作を行うことができてもよい。また、ユーザは、バックタッチパネル７へのタッチ操作を介して、携帯電話機１の動作を制御してもよい。
【００４７】
グリップ検知部２６は、図１に示す電波送信アンテナ１０と、電波送信回路部１０ａと、図１に示す電界検知アンテナ１１と、電界検知回路部１１ａと、電界検知制御部１４を備えている。近接検知部２７は、図１に示す電波送信アンテナ１０と、電波送信回路部１０ａと、図１に示す電界検知アンテナ１２と、電界検知回路部１２ａと、電界検知制御部１４とを備えている。グリップ検知部２６と近接検知部２７は、電波送信アンテナ１０と、電波送信回路部１０ａとを時分割制御により共用している。
【００４８】
電界検知制御部１４は、制御部２１からの命令に応じて、電波送信回路部１０ａを駆動する。電波送信回路部１０ａは、Ｄ／Ａ変換回路、パルス発生回路等を備え、ユーザのグリップを検知するための電波を送信するための信号とユーザの耳の近接を検知するための電波を送信するための信号を生成する。電波送信アンテナ１０は、電波送信回路部１０ａからの信号に応じて、第１の周期タイミングでユーザのグリップを検知するための微弱な電波を送信する。また、電波送信アンテナ１０は、電波送信回路部１０ａからの信号に応じて、第１の周期タイミングとは異なる第２の周期タイミングでユーザの耳の近接を検知するための微弱な電波を送信する。
【００４９】
電界検知アンテナ１１は、電界を検知すると、電界検知回路部１１ａに検知信号を送信する。電界検知回路部１１ａは、Ａ／Ｄ変換回路、パルス発生回路等を備える。電界検知回路部１１ａは、第１の周期タイミングに対応するタイミングで検知信号を取り込み、電界検知制御部１４に送信する。電界検知制御部１４は、第１の周期タイミングに対応するタイミングで電界検知回路部１１ａから検知信号を検知すると、ユーザのグリップを検知したことを伝える検知信号を制御部２１に出力する。
【００５０】
電界検知アンテナ１２は、電界を検知すると、電界検知回路部１２ａに検知信号を送信する。電界検知回路部１２ａは、Ａ／Ｄ変換回路、パルス発生回路等を備える。電界検知回路部１２ａは、第２の周期タイミングに対応するタイミングで検知信号を取り込み、電界検知制御部１４に送信する。電界検知制御部１４は、第２の周期タイミングに対応するタイミングで電界検知回路部１２ａから検知信号を検知すると、ユーザの耳の近接を検知したことを伝える検知信号を制御部２１に出力する。
【００５１】
音声入力部２８は、マイクロフォン５等から構成される。音声入力部２８は、マイクロフォン５からの電気信号を音声処理部３０へ出力する。
【００５２】
音声出力部２９は、通話スピーカ６および外部スピーカ８を含む。音声出力部２９には、音声処理部３０からの電気信号が入力され、通話スピーカ６または外部スピーカ８から音（音声、報知音等）が出力される。
【００５３】
音声処理部３０は、音声入力部２８からの電気信号にＡ／Ｄ変換等を施し、変換後のデ
ジタルの音声信号を制御部２１へ出力する。音声処理部３０は、制御部２１からのデジタルの音声信号にデコード処理およびＤ／Ａ変換等を施し、変換後の電気信号を音声出力部２９に出力する。
【００５４】
撮影部３１は、図１に示すＣＭＯＳイメージセンサを備えたカメラ９、撮像制御回路等により構成される。撮影部３１は、カメラ９により撮影された画像の画像データに各種の画像処理を施し、画像処理後の画像データを制御部２１に出力する。
【００５５】
キー入力部３２は、携帯電話機１に電源を投入するための電源キーなど、携帯電話機１に配された各種ハードキー（図示せず）が押下されたときに、押下されたハードキーに応じた信号を制御部２１へ出力する。
【００５６】
通信部３３は、通話や通信を行うための信号を変換するための回路や図１に示す電波送受信アンテナ１３等を備える。通信部３３は、制御部２１から入力される通話や通信のための信号を無線信号に変換し、変換された無線信号を、電波送受信アンテナ１３を介して基地局や他の通信装置等の通信先へ送信する。さらに、通信部３３は、電波送受信アンテナ１３を介して受信した無線信号を制御部２１が利用できる形式の信号へ変換し、変換された信号を制御部２１へ出力する。
【００５７】
本実施の形態の携帯電話機１は、ユーザによる携帯電話機１へのグリップ操作に応じた制御機能と、ユーザによる携帯電話機１へのグリップを検知するために適した構造を有する。
【００５８】
＜構造＞
まず、グリップを検知するために適した携帯電話機１の具体的構造例を説明する。なお、本実施の形態では、グリップ検知部２６に関連する構造についてのみを詳細に説明し、その他の構造の詳細な説明は省略する。
【００５９】
図３（ａ）は、キャビネット２の本体部２０１を示す斜視図、図３（ｂ）は、キャビネット２のカバー２０２を示す斜視図である。
【００６０】
キャビネット２は、本体部２０１とカバー２０２とを備える。本体部２０１は、内部に図２に示した制御部２１等を含む回路基板３０１を有する。本体部２０１背面の左右端部には、曲面部２０１ａ、２０１ｄが形成されている。
【００６１】
曲面部２０１ａの下端部には、凹部２０１ｂが形成されている。凹部２０１ｂの上部には、回路基板３０１の接点ばね３０１ａを外部に臨ませる開口２０１ｃが形成されている。同様に、曲面部２０１ｄの下端部には、凹部２０１ｅが形成されている。凹部２０１ｅの上部には、回路基板３０１の接点ばね３０１ｂを外部に臨ませる開口２０１ｆが形成されている。本体部２０１の下部には、凹部２０１ｇが形成されている。凹部２０１ｇの左端には、回路基板３０１の端子３０１ｃを外部に臨ませる開口２０１ｈが形成されている。
【００６２】
本体部２０１は、回路基板３０１等の構成部材と背面のフレームとが前面のフレームに複数のビスにより螺着されており、凹部２０１ｂの周囲にビス２０１ｉ、２０１ｊ、凹部２０１ｅの周囲にビス２０１ｋ、２０１ｌが配されている。ビス２０１ｉ〜２０１ｌは、樹脂材、インコネル等の非磁性部材により形成されている。
【００６３】
本体部２０１には、このほか、カメラ９、バッテリー、各種無線通信のためのアンテナを配するための凹部、および電源キー、シャッターボタン等のハードキー等が配されてい
る。
【００６４】
カバー２０２は、底面２０２ａを有し、本体部２０１の背面を覆う形状を有している。カバー２０２には、本体部２０１の曲面部２０１ａに対向する位置に曲面部２０２ｂが形成されており、本体部２０１の曲面部２０１ｄに対向する位置に曲面部２０２ｃが形成されている。カバー２０２の下縁部２０２ｄと上縁部は、底面２０２ａよりも一段高いリブ形状となっている。
【００６５】
凹部２０１ｂに対向する曲面部２０２ｂの位置には、ＦＰＣ（Flexible Printed Circuits）２０３が貼り付けられている。ＦＰＣ２０３には、電界検知アンテナ１１の回路パターンが配されている。ＦＰＣ２０３の上端には、回路基板３０１との接続部２０３ａが形成されている。接続部２０３ａには、ＦＰＣ２０３の電波送信アンテナ１０の回路パターンと回路基板３０１を、接点ばね３０１ａを介して電気的に接続するための端子２０３ｂが形成されている。
【００６６】
同様に、本体部２０１の凹部２０１ｅに対向する曲面部２０２ｂの位置には、ＦＰＣ２０４が貼り付けられている。ＦＰＣ２０４には、電波送信アンテナ１０の回路パターンが配されている。ＦＰＣ２０４の上端には、回路基板３０１との接続部２０４ａが形成されている。接続部２０４ａには、ＦＰＣ２０４の電界検知アンテナ１１の回路パターンと回路基板３０１を、接点ばね３０１ｂを介して電気的に接続するための端子２０４ｂが形成されている。
【００６７】
カバー２０２の底面２０２ａには、バックタッチパネル７、各種無線通信のためのアンテナ、補強のためのリブ、本体部２０１にカバー２０２を止めるための爪等が形成されている。
【００６８】
図４（ａ）は、本体部２０１にカバー２０２を取り付けた際のＦＰＣ２０３、２０４の位置関係を示す図である。図４（ｂ）は、ＦＰＣ２０４周辺の一部拡大図、図４（ｃ）は、ＦＰＣ２０３周辺の一部拡大図である。なお、図４（ａ）では、便宜上、カバー２０２の図示が省略されている。
【００６９】
図４（ａ）を参照して、カバー２０２を取り付けると、ＦＰＣ２０３は、本体部２０１の凹部２０１ｂの位置に配置され、ＦＰＣ２０４は、本体部２０１の凹部２０１ｅの位置に配置される。このとき、ＦＰＣ２０３の端子２０３ｂ（図３（ｂ）参照）が、回路基板３０１の接点ばね３０１ａ（図３（ａ）参照）に当接する。ＦＰＣ２０４の端子２０４ｂ（図３（ｂ）参照）が、回路基板３０１の接点ばね３０１ｂ（図３（ａ）参照）に当接する。これにより、ＦＰＣ２０４に配された電波送信アンテナ１０の回路パターンと回路基板３０１、ＦＰＣ２０３に配された電界検知アンテナ１１の回路パターンと回路基板３０１が電気的に接続される。
【００７０】
図５（ａ）は、カバー２０２を透視した携帯電話機１の背面図である。
【００７１】
背面視において、電波送信アンテナ１０が配されたＦＰＣ２０４は、携帯電話機１の右下端部に配される。電界検知アンテナ１１が配されたＦＰＣ２０３は、携帯電話機１の左下端部に配される。ＦＰＣ２０３、２０４の近傍に配されたビス２０１ｉ〜２０１ｌは、非磁性部材により構成されているため、ＦＰＣ２０４の電波送信アンテナ１０から送信された電波によって生じた電界に対する影響を抑えることができる。
【００７２】
図５（ｂ）は、図５（ａ）のＡ−Ａ断面図の右端部周辺を示す図である。図５（ｃ）は、比較例のＡ−Ａ断面図の右端部周辺を示す図である。
【００７３】
図５（ｃ）の比較例では、カバー２０２’の左右端部に曲面部２０２ｂ、２０２ｃが設けられず、垂直な角が形成され、底面２０２ａに電波送信アンテナ１０が配されたＦＰＣ２０４’が配されている。この場合、たとえば、携帯電話機１が金属の机上等、導電性の平坦な面の上に設置されると、電波送信アンテナ１０から送信された電波によって生じた電界が金属の机を介して電界検知アンテナ１１の方へと伝わり、ユーザが携帯電話機１をグリップしたと制御部２１が誤検知する虞がある。
【００７４】
本実施の形態では、図５（ｂ）に示すように、電波送信アンテナ１０が配されたＦＰＣ２０４は、カバー２０２の曲面部２０２ｃに貼り付けられているため、携帯電話機１の中心から離れるほど、ＦＰＣ２０４は、徐々に机等の平面に対して離れていく。したがって、比較例の場合に比べ、携帯電話機１を導電性の平坦な面に設置した場合に生じ得るグリップの誤検知を抑制することができる。
【００７５】
また、本実施の形態では、図５（ｂ）に示すように、電波送信アンテナ１０が配されたＦＰＣ２０４は、後端部がカバー２０２の底面２０２ａから所定の間隔Ｃだけ離されて配置されているため、さらに、設置時に生じるグリップの誤検知を抑制することができる。
【００７６】
図示は省略するが、電界検知アンテナ１１が配されたＦＰＣ２０３も、ＦＰＣ２０４と同様に、カバー２０２の曲面部２０２ｂに配され、後端部がカバー２０２の底面２０２ａから所定の間隔Ｃだけ離されて配置されている。したがって、設置時に生じるグリップの誤検知を抑制することができる。
【００７７】
なお、本実施の形態では、電波送信アンテナ１０が配されたＦＰＣ２０４、電界検知アンテナ１１が配されたＦＰＣ２０３は、カバー２０２の底面２０２ａから所定の間隔Ｃだけ離されて配されたが、カバー２０２の底面２０２ａの一部を覆うように配されても良い。この場合であっても、ＦＰＣ２０３、２０４は、曲面部２０２ｃ、２０２ｂに配されているため、携帯電話機１の中心から離れるほど、カバー２０２の底面２０２ａからの間隔が大きくなる。したがって、図５（ｃ）に示す比較例よりも、設置時に生じるグリップの誤検知を抑えることができる。なお、設置時に生じるグリップの誤検知を効果的に防ぐためには、ＦＰＣ２０３、２０４は、カバー２０２の底面２０２ａから所定の間隔Ｃだけ離されて配されることが望ましい。
【００７８】
図６（ａ）は、携帯電話機１をユーザが右手でグリップした状態を示す正面図、図６（ｂ）は、携帯電話機１をユーザが右手でグリップした状態を示す背面図である。図６（ｃ）は、携帯電話機１をユーザが右手でグリップした状態の右端部周辺の断面図、図６（ｄ）は、比較例における携帯電話機１をユーザが右手でグリップした状態の右端部周辺の断面図である。
【００７９】
ユーザが携帯電話機１をグリップすると、電波送信アンテナ１０を備えるＦＰＣ２０４は、カバー２０２の曲面部２０２ｂを介して右手の親指の付け根部分に接触する。また、電界検知アンテナ１１を備えるＦＰＣ２０３は、カバー２０２の曲面部２０２ｂを介して右手の小指、薬指、中指の第１関節から第２関節付近に接触する。
【００８０】
電波送信アンテナ１０から送信された電波によって生じた電界が電界検知アンテナ１１の方へと伝わり、電界検知アンテナ１１により電界が検知される。これにより、制御部２１にグリップを検知したことを伝える検知信号が出力される。
【００８１】
図６（ｄ）に示す比較例では、カバー２０２’に曲面部２０２ｂ、２０２ｃが設けられず、垂直な角が形成されているため、角がユーザの右手の親指の付け根に接触し、カバー
２０２’の背面および側面は、右手に接触せず、電波送信アンテナ１０を備えるＦＰＣ２０４’と右手の間には、大きな隙間が生じる。これに対し、本実施の形態では、カバー２０２には、曲面部２０２ｂ、２０２ｃが設けられているため、ユーザは、右手を略隙間なくカバー２０２に接触させることができる。これにより、ユーザは、カバー２０２の曲面部２０２ｃ、２０２ｂに配された電波送信アンテナ１０、電界検知アンテナ１１を右手に近付けることができる。したがって、クリップ検出部２６によって、ユーザの携帯電話機１へのグリップを適正に検知することができる。
【００８２】
また、右利きのユーザは、通常、携帯電話機１の右下角付近を右手の親指の付け根付近に接触させてグリップすることが多い。したがって、図６（ａ）に示すように、電波送信アンテナ１０と電界検知アンテナ１１を携帯電話機１の下端部に設けることにより、ユーザは、より確実に電波送信アンテナ１０と電界検知アンテナ１１を右手に近付けることができる。これにより、ユーザのグリップをさらに適正に検知することができる。
【００８３】
以上、本実施の形態によれば、グリップ検知部２６の電波送信アンテナ１０と電界検知アンテナ１１は、カバー２０２の曲面部２０２ｂ、２０２ｃに配されているため、設置時に生じるグリップの誤検知を防ぐことができる。さらに、ユーザの手を略隙間なくカバー２０２に接触させることができ、ユーザのグリップを適正に検知することができる。
【００８４】
また、本実施の形態によれば、電波送信アンテナ１０が配されたＦＰＣ２０４、電界検知アンテナ１１が配されたＦＰＣ２０３は、カバー２０２の底面２０２ａから所定の間隔Ｃだけ離されて配置されているため、さらに、設置時に生じるグリップの誤検知を抑制することができる。
【００８５】
また、本実施の形態によれば、ユーザが携帯電話機１をグリップしたときに掌が接触のしやすい携帯電話機１の下端部に電波送信アンテナ１０と電界検知アンテナ１１が配されているため、より適正にユーザのグリップを検知することができる。
【００８６】
また、本実施の形態によれば、電波送信アンテナ１０と電界検知アンテナ１１の近傍に配されたビス２０１ｉ〜２０１ｌは、非磁性部材により構成されているため、電波送信アンテナ１０から送信された電波によって生じた電界に対する影響を抑えることができる。
【００８７】
＜構造の変更例＞
上記実施の形態の携帯電話機１では、ＦＰＣ２０３、２０４が、それぞれ、カバー２０２の曲面部２０２ｃ、２０２ｂを覆うように配されたが、本変更例では、図７に示すように、ＦＰＣ２０３が、カバー２０２の曲面部２０２ｃと下縁部２０２ｄを覆うように配され、ＦＰＣ２０４が、カバー２０２の曲面部２０２ｂと下縁部２０２ｄを覆うように配される。
【００８８】
図７は、本体部２０１にカバー２０２を取り付けた際のＦＰＣ２０３、２０４の位置関係を示す図である。なお、図７では、便宜上、カバー２０２の図示が省略されている。
【００８９】
ＦＰＣ２０３、２０４の下端には、それぞれ、折り曲げ部２０３ｃ、２０４ｃが形成されている。折り曲げ部２０３ｃ、２０４ｃは、カバー２０２の下縁部２０２ｄに貼り付けられている。したがって、電波送信アンテナ１０、電界検知アンテナ１１は、カバー２０２の曲面部２０２ｂ、２０２ｃのみならず、下縁部２０２ｄの左右両端にも配される。
【００９０】
ここで、図６（ａ）に示すように、ユーザが右手で携帯電話機１をグリップすると、カバー２０２の下部は、右手の掌に接触しやすい。したがって、本変更例のように、カバー２０２の下縁部２０２ｄを覆うように、電波送信アンテナ１０と電界検知アンテナ１１を
配することにより、より確実にユーザのグリップを検知することができる。
【００９１】
図８（ａ）は、カバー２０２を透視した携帯電話機１の背面図である。図８（ｂ）は、携帯電話機１の左下端部周辺の一部拡大図である。
【００９２】
本変更例において、ＦＰＣ２０３、２０４の折り曲げ部２０３ｃ、２０４ｃは、電波送受信アンテナ１３の長辺Ｌの範囲と重ならないように配されている。すなわち、電波送受信アンテナ１３の左端部とＦＰＣ２０３の折り曲げ部２０３ｃとの間には所定の間隔Ｄを有する。同様に電波送受信アンテナ１３の右端部とＦＰＣ２０４の折り曲げ部２０４ｃとの間にも所定の間隔を有するため、電波送信アンテナ１０、電界検知アンテナ１１による電波送受信アンテナ１３に対する影響を抑えることができる。
【００９３】
このように本変更例の構成とすれば、通話を行うための電波の送受信パワーを劣化させることなく、ユーザのグリップを検知する感度を向上させることができる。
【００９４】
なお、上記実施の形態および変更例の電波送信アンテナ１０と電界検知アンテナ１１の形状、配置等は一例であり、その他種々の変更が可能である。
【００９５】
図９（ａ）は、キャビネット２の外形を示す模式図である。図９（ｂ）、図９（ｃ）は、キャビネット２の曲面部の境界位置を説明する図である。図９（ａ）〜図９（ｃ）には、上下左右方向とともに、Ｘ軸、Ｙ軸、およびＺ軸が示されている。右方向がＸ軸正方向、上方向がＹ軸正方向、後方向がＺ軸正方向に相当する。
【００９６】
キャビネット２は、ＸＹ平面およびＸＺ平面の角が曲面となっている。電波送信アンテナ１０と電界検知アンテナ１１の配置例を説明するため、便宜上、電波送信アンテナ１０または電界検知アンテナ１１が配されるキャビネット２の側面をＳ１、キャビネット２の底面をＳ２、キャビネット２の背面をＳ３とする。
【００９７】
ここで、図９（ｂ）に示すように、ＸＹ平面における側面Ｓ１と底面Ｓ２の境界は、曲面の接線Ａ１の垂線Ｂ１のうち、キャビネット２のＸ軸方向の延長線とＹ軸方向の延長線の交点Ｐ２を通る垂線Ｂ１が曲面と交わる点Ｐ１とする。
【００９８】
また、図９（ｃ）に示すように、ＸＺ平面における側面Ｓ１と背面Ｓ３の境界は、曲面の接線Ａ２の垂線Ｂ２のうち、キャビネット２のＸ軸方向の延長線とＺ軸方向の延長線の交点Ｐ４を通る垂線Ｂ２が曲面と交わる点Ｐ３とする。
【００９９】
上述したように、電波送信アンテナ１０または電界検知アンテナ１１は、少なくとも、曲面状に形成されたキャビネット２の側面Ｓ１を含むように配されるのが望ましい。
【０１００】
また、電波送信アンテナ１０または電界検知アンテナ１１は、グリップ時に接触し易い下部の側面Ｓ１を含む角に配されるのが望ましく、さらには、側面Ｓ１と底面Ｓ２を跨ぐように配されるのが望ましい。この場合、底面Ｓ２は、図８（ａ）に示すように、電波送受信アンテナ１３の長辺Ｌに重ならないように配されるのが望ましい。
【０１０１】
また、図６（ａ）に示すように、ユーザが右手で携帯電話機１をグリップすると、カバー２０２の背面も、右手の掌に接触しやすい。したがって、ユーザのグリップを検知する感度を高める観点からは、電波送信アンテナ１０と電界検知アンテナ１１は、側面Ｓ１と背面Ｓ３、または側面Ｓ１、底面Ｓ２および背面Ｓ３を覆うように配されるのが望ましい。この場合、背面Ｓ３は、図５（ｂ）に示すように、設置時に生じるグリップの誤検知を抑制するため、カバー２０２の底面２０２ａから所定の間隔Ｃだけ離されて配置されるこ
とがさらに望ましい。
【０１０２】
以上のいずれかの条件を満たす限り、電波送信アンテナ１０、電界検知アンテナ１１は、適宜、配置場所、大きさ、形状等が変更され得る。
【０１０３】
たとえば、上記実施の形態および変更例では、電波送信アンテナ１０と電界検知アンテナ１１は、カバー２０２に貼り付けられたが、本体部２０１側に貼り付けられていても良い。
【０１０４】
また、上記実施の形態および変更例では、電波送信アンテナ１０、電界検知アンテナ１１は、携帯電話機１の下部に配されたが、携帯電話機１の上部までを含むように配されても良い。
【０１０５】
また、上記実施の形態および変更例では、右利きのユーザのために、電波送信アンテナ１０を右側に配置したが、左利きのユーザのために、左側に配置しても良い。
【０１０６】
また、上記実施の形態および変更例では、電波送信アンテナ１０と電界検知アンテナ１１がそれぞれ、カバー２０２の曲面部２０２ｂ、２０２ｃに配されたが、電波送信アンテナ１０または電界検知アンテナ１１のどちらか一方のみが曲面部２０２ｂ（２０２ｃ）に配されても良い。
【０１０７】
また、上記実施の形態および変更例では、グリップ検知部２６として、電波送信アンテナ１０と電界検知アンテナ１１が用いられたが、その他のセンサが用いられても良い。たとえば、静電容量式センサ（静電容量式のタッチパネル）が用いられても良いし、圧力式センサ、熱検知式センサ等が用いられても良い。その他、曲面状に形成されたキャビネット２の側面Ｓ１に配することが可能な種々のセンサが用いられ得る。
【０１０８】
＜制御処理＞
次に、グリップ検知部２６を用いた制御処理について説明する。本実施の形態では、着信があった場合、グリップ検知部２６、近接検知部２７の検知信号に応じて、各種機能の制御処理が行われる。
【０１０９】
図１０〜図１２は、着信制御処理を示すフローチャートである。図１０〜図１２の着信制御処理は、他の機器から通信部３３へ着信があった場合に実行される。
【０１１０】
図１３、図１４は、着信制御時における携帯電話機１のディスプレイ３の画面表示例を示す図である。
【０１１１】
図１０を参照し、他の機器から通信部３３へ着信があると、まず、制御部２１は、近接検知部２７を起動する（Ｓ１０１）。これにより、電波送信アンテナ１０は、グリップ検知部２６の第１の周期タイミングとは異なる第２の周期タイミングで微弱な電波を送信する。なお、グリップ検知部２６は、携帯電話機１の起動時にあらかじめ起動されており、電波送信アンテナ１０は、第１の周期タイミングで電波送信アンテナ１０から微弱な電波を送信している。
【０１１２】
近接検知部２７を起動すると、制御部２１は、着信音または着信振動による報知設定がされているか否かを判定する（Ｓ１０２）。なお、着信音または着信振動による報知設定の有無は、設定アプリケーション等を用いてユーザによりあらかじめ設定されている。
【０１１３】
着信音または着信振動による報知設定がされている場合（Ｓ１０２：ＹＥＳ）、他の機
器からの着信が検出されると、制御部２１は、設定内容に応じて、着信音の鳴動、および着信振動を開始する（Ｓ１０３）。制御部２１は、着信直後の着信画面を表示させる設定がされているか否かを判定する（Ｓ１０４）。なお、着信直後の着信画面の表示設定の有無は、設定アプリケーション等を用いてユーザによりあらかじめ設定されている。
【０１１４】
着信直後の着信画面の表示設定がされていない場合（Ｓ１０４：ＮＯ）、制御部２１は、図１３の左上の図に示すように、ディスプレイ３を非表示にした状態で、グリップ検知部２６がユーザの携帯電話機１へのグリップを検知したか否かを判定する（Ｓ１０５）。具体的には、制御部２１は、グリップ検知部２６の電波送信アンテナ１０により送信された電波により生じた電界が電界検知アンテナ１１により検知されたか否かを判定する。ディスプレイ３の非表示の状態とは、ディスプレイ３のバックライトが消灯される状態を含んでも良い。また、ディスプレイ３の非表示の状態とは、ディスプレイ３に画像を表示しない状態を含んでも良い。また、ディスプレイ３の非表示の状態とは、ディスプレイ３に如何なる情報を表示しない状態を含んでも良い。本実施例において、ディスプレイ３を非表示することを、ディスプレイ３の表示を終了すると称する場合がある。
【０１１５】
グリップ検知部２６がユーザのグリップを検知していない場合（Ｓ１０５：ＮＯ）、制御部２１は、着信が切断されない限り（Ｓ１０６：ＮＯ）、処理をＳ１０５に戻し、ユーザのグリップが検知されるまで処理を繰り返す。他の機器からの着信が切断された場合（Ｓ１０６：ＹＥＳ）、制御部２１は、図１１のＳ１２４に処理を進め、近接検知部２７を停止し、着信の制御処理を終了する。
【０１１６】
グリップ検知部２６がユーザのグリップを検知すると（Ｓ１０５：ＹＥＳ）、制御部２１は、着信音、および着信振動を停止する（Ｓ１０７）。そして、制御部２１は、着信画面Ｒ１をディスプレイ３に表示する（Ｓ１０８）。これにより、図１３の中央上部の図のように、着信音、および着信振動が停止された状態で、着信画面Ｒ１がディスプレイ３に表示される。
【０１１７】
着信画面Ｒ１には、着信中であることを示すメッセージと、発信者の電話番号と、記憶部２２に登録された電話番号に対応する名前等が表示される。着信画面Ｒ１は、受話アイコン１１１と、保留アイコン１１２と、切断アイコン１１３とを含む。受話アイコン１１１には、着信中の電話に応答するための機能が割り当てられている。保留アイコン１１２には、着信中の電話に応答し、現在、ユーザが電話に出られないことを伝える音声、メロディ等を発信者に伝えるための機能が割り当てられている。切断アイコン１１３には、着信を切断する機能が割り当てられている。
【０１１８】
図１０に戻り、着信画面Ｒ１をディスプレイ３に表示すると、制御部２１は、処理を図１１のＳ１１３に進める。
【０１１９】
着信音および着信振動による報知設定の両方がされていない場合（Ｓ１０２：ＮＯ）、ユーザが着信を認知することができないため、制御部２１は、図１３の左下の図に示すようにディスプレイ３に着信画面Ｒ１を表示する（Ｓ１０９）。
【０１２０】
また、同様に、着信直後の着信画面の表示設定がされている場合（Ｓ１０４：ＹＥＳ）、制御部２１は、図１３の左下の図に示すようにディスプレイ３に着信画面Ｒ１を表示する（Ｓ１０９）。
【０１２１】
そして、制御部２１は、ディスプレイ３に着信画面Ｒ１を表示した状態で、グリップ検知部２６がユーザのグリップを検知したか否かを判定する（Ｓ１１０）。
【０１２２】
グリップ検知部２６がユーザのグリップを検知していない場合（Ｓ１１０：ＮＯ）、制御部２１は、着信が切断されない限り（Ｓ１１１：ＮＯ）、処理をＳ１１０に戻し、ユーザのグリップが検知されるまで処理を繰り返す。他の機器からの着信が切断された場合（Ｓ１１１：ＹＥＳ）、制御部２１は、図１１のＳ１２４に処理を進め、近接検知部２７を停止し、着信の制御処理を終了する。
【０１２３】
グリップ検知部２６がユーザのグリップを検知すると（Ｓ１１０：ＹＥＳ）、制御部２１は、着信音、および着信振動を停止する（Ｓ１１２）。これにより、図１３の中央上部の図のように、着信音、および着信振動が停止された状態で、着信画面Ｒ１がディスプレイ３に表示される。
【０１２４】
図１０に戻り、着信画面Ｒ１をディスプレイ３に表示すると、制御部２１は、処理を図１１のＳ１１３に進める。
【０１２５】
図１１を参照して、制御部２１は、グリップ検知部２６が、ユーザが携帯電話機１を手離したことを検知したか否かを判定する（Ｓ１１３）。具体的には、制御部２１は、グリップ検知部２６の電波送信アンテナ１０により送信された電波により生じた電界が電界検知アンテナ１１により検知されなくなったか否かを判定する。
【０１２６】
グリップ検知部２６が、ユーザが携帯電話機１を手離したことを検知していない場合（Ｓ１１３：ＮＯ）、すなわち、ユーザが携帯電話機１をグリップした状態の場合、制御部２１は、近接検知部２７が、物体が近づいたことを検知したか否かを判定する（Ｓ１１４）。具体的には、制御部２１は、近接検知部２７の電波送信アンテナ１０により送信された電波により生じた電界が通話スピーカ６の近傍に配された電界検知アンテナ１２により検知されたか否かを判定する。
【０１２７】
近接検知部２７が、物体が近づいたことを検知していない場合（Ｓ１１４：ＮＯ）、制御部２１は、受話アイコン１１１に対してタップ操作がなされたか否かを判定する（Ｓ１１５）。受話アイコン１１１に対してタップ操作がなされていない場合（Ｓ１１５：ＮＯ）、制御部２１は、着信が切断されない限り（Ｓ１１６：ＮＯ）、処理をＳ１１３に戻し、Ｓ１１３〜Ｓ１１５の判定処理を繰り返す。他の機器からの着信が切断された場合、または切断アイコン１１３に対してタップ操作がなされた場合（Ｓ１１６：ＹＥＳ）、制御部２１は、図１１のＳ１２４に処理を進め、近接検知部２７を停止し、着信の制御処理を終了する。
【０１２８】
グリップ検知部２６が、ユーザが携帯電話機１を手離したことを検知した場合（Ｓ１１３：ＹＥＳ）、制御部２１は、図１３の中央下部の図に示すように、ディスプレイ３を非表示にし（Ｓ１１７）、携帯電話機１を応答保留状態に設定する（Ｓ１１８）。具体的には、制御部２１は、着信中の電話に応答し、現在、ユーザが電話に出られないことを伝える音声、メロディ等を発信者に通知する。
【０１２９】
そして、制御部２１は、ディスプレイ３を非表示にした状態で、グリップ検知部２６がユーザのグリップを検知したか否かを判定する（Ｓ１１９）。
【０１３０】
グリップ検知部２６がユーザのグリップを検知していない場合（Ｓ１１９：ＮＯ）、制御部２１は、着信が切断されない限り（Ｓ１２０：ＮＯ）、処理をＳ１１９に戻し、ユーザのグリップが検知されるまで処理を繰り返す。他の機器からの着信が切断された場合（Ｓ１２０：ＹＥＳ）、制御部２１は、図１１のＳ１２４に処理を進め、近接検知部２７を停止し、着信の制御処理を終了する。
【０１３１】
グリップ検知部２６がユーザのグリップを検知すると（Ｓ１１９：ＹＥＳ）、制御部２１は、応答保留画面Ｈ１をディスプレイ３に表示する（Ｓ１２１）。これにより、図１４の中央上部の図のように、着信音、および着信振動が停止された状態で、応答保留画面Ｈ１がディスプレイ３に表示される。
【０１３２】
応答保留画面Ｈ１には、応答保留中であることを示すメッセージと、発信者の電話番号と、記憶部２２に登録された電話番号に対応する名前等が表示される。応答保留画面Ｈ１には、受話アイコン１１１と、切断アイコン１１３が表示される。
【０１３３】
近接検知部２７が、物体が近づいたことを検知した場合（Ｓ１１４：ＹＥＳ）、または、受話アイコン１１１に対してタップ操作がなされると（Ｓ１１５：ＹＥＳ）、制御部２１は、図１３の右上の図に示すように、ディスプレイ３を非表示にし（Ｓ１２２）、通話処理を実行する（Ｓ１２３）。
【０１３４】
図１２は、通話制御処理を示すフローチャートである。
【０１３５】
図１２を参照して、まず、制御部２１は、通話開始処理を実行する（Ｓ２０１）。携帯電話機１が応答保留状態でない場合、通話開始処理は、たとえば、通信先の電話機との通信網の確立、受話音声の入出力処理等、を含む。携帯電話機１が応答保留状態の場合、通話開始処理は、応答保留状態の解除処理、受話音声の入出力処理等、を含む。
【０１３６】
制御部２１は、近接検知部２７が、物体が離れたことを検知したか否かを判定する（Ｓ２０２）。具体的には、制御部２１は、近接検知部２７の電波送信アンテナ１０により送信された電波により生じた電界が電界検知アンテナ１２により検知されなくなったか否かを判定する。
【０１３７】
近接検知部２７が、物体が離れたことを検知していない場合（Ｓ２０２：ＮＯ）、制御部２１は、着信が切断されない限り（Ｓ２０３：ＮＯ）、処理をＳ２０２に戻し、物体が離れたことを検知するまで処理を繰り返す。他の機器からの着信が切断された場合（Ｓ２０３：ＹＥＳ）、制御部２１は、通話終了処理を実行する（Ｓ２０４）。通話終了処理は、たとえば、通信先の電話機との通信網の切断等、を含む。そして、制御部２１は、図１１のＳ１２４に処理を進め、近接検知部２７を停止し、着信の制御処理を終了する。
【０１３８】
近接検知部２７が、物体が離れたことを検知した場合（Ｓ２０２：ＹＥＳ）、制御部２１は、通話画面Ｔ１をディスプレイ３に表示する（Ｓ２０５）。これにより、図１３の右下の図のように、通話画面Ｔ１がディスプレイ３に表示される。
【０１３９】
通話画面Ｔ１には、発信者の電話番号と、記憶部２２に登録された電話番号に対応する名前等が表示される。通話画面Ｔ１には、保留アイコン１１２と、切断アイコン１１３と、ミュートアイコン１１４が表示される。ミュートアイコン１１４には、マイクロフォン５に対する音声入力を遮断する機能が割り当てられている。ミュートアイコン１１４に対してタップ操作がなされると、マイクロフォン５に対する音声入力を遮断する機能が有効になり、ミュートアイコン１１４が強調表示される。その状態で、さらに、ミュートアイコン１１４に対してタップ操作がなされると、マイクロフォン５に対する音声入力を遮断する機能が無効になり、ミュートアイコン１１４の強調表示が解除される。音声入力を遮断するとは、通信部３３を介してユーザの音声が通話相手の携帯電話機に送信されるのを停止することを意味する。具体的には、例えば、制御部２１は、音声入力部２８及びマイクロフォン５等への電力供給を停止し、マイクロフォン５からの音の入力を中止することにより、音声入力を遮断してもよい。また、制御部２１は、マイクロフォン５が受け付けた音が通信部３３に出力されることを停止することにより、音声入力を遮断してもよい。
制御部２１は、マイクロフォン５が受け付けた音を通信部３３を介して送信する処理を中止することにより音声入力を遮断してもよい。図１２に戻り、通話画面Ｔ１をディスプレイ３に表示すると、制御部２１は、近接検知部２７が、物体が近づいたことを検知したか否かを判定する（Ｓ２０６）。
【０１４０】
近接検知部２７が、物体が近づいたことを検知していない場合（Ｓ２０６：ＮＯ）、制御部２１は、着信が切断されない限り（Ｓ２０７：ＮＯ）、処理をＳ２０６に戻し、物体が近づいたことを検知するまで処理を繰り返す。他の機器からの着信が切断された場合、または切断アイコン１１３に対してタップ操作がなされた場合（Ｓ２０７：ＹＥＳ）、制御部２１は、通話終了処理を実行する（Ｓ２０４）。そして、制御部２１は、図１１のＳ１２４に処理を進め、近接検知部２７を停止し、着信の制御処理を終了する。
【０１４１】
近接検知部２７が、物体が近づいたことを検知した場合（Ｓ２０６：ＹＥＳ）、制御部２１は、図１３の右上の図に示すように、ディスプレイ３を非表示にし（Ｓ２０８）、処理をＳ２０２に戻す。その後、制御部２１は、着信が切断されるまで（Ｓ２０３：ＹＥＳ、Ｓ２０７：ＹＥＳ）、物体が近接しているか否かを検知しつつ、通話処理を繰り返す。
【０１４２】
通話が終了し、通信網が切断されると（Ｓ２０３：ＹＥＳ、Ｓ２０７：ＹＥＳ）、制御部２１は、通話終了処理を実行する（Ｓ２０４）。そして、制御部２１は、図１１のＳ１２４に処理を進め、近接検知部２７を停止し、着信の制御処理を終了する。
【０１４３】
以上、本実施の形態によれば、携帯電話機１をグリップした後、携帯電話機１を耳に近付ける動作のみで通話処理が自動的に開始されるため、ユーザは、円滑に通話を開始することができる。
【０１４４】
また、本実施の形態によれば、携帯電話機１をグリップした後、携帯電話機１を手離した場合、自動的に応答保留状態になるため、ユーザは、円滑に応答保留処理を行うことができる。
【０１４５】
また、本実施の形態によれば、携帯電話機１をグリップした後、携帯電話機１を手離した場合、ディスプレイ３が自動的に非表示になるため、消費電力を抑えることができる。
【０１４６】
また、本実施の形態によれば、着信直後のユーザが携帯電話機１をグリップしていない状態では、ディスプレイ３を非表示にすることができるため、電話番号、名前等の発信者の情報が第三者に安易に知られることを防ぐことができる。また、着信音、着信振動等の報知設定がされており、ユーザが着信を認知できる場合には、ディスプレイ３の表示を非表示とすることができるため、消費電力を抑える効果も奏される。
【０１４７】
また、本実施の形態によれば、ユーザが携帯電話機１をグリップした状態で、携帯電話機１を耳に近付けた場合、ディスプレイ３が非表示になるため、さらなる消費電力の削減の効果が奏される。
【０１４８】
また、本実施の形態によれば、ユーザが携帯電話機１をグリップすると、自動的に着信音および着信振動等の報知が停止されるため、その後、ユーザが携帯電話機１を耳に近付けて通話を開始する場合、ユーザの耳の近距離で着信音が報知されることを防止することができる。また、電車内や会議等、着信音や着信振動が望まれないような状況において、ユーザは、携帯電話機１をグリップすることにより、着信を切断せずに着信音や着信振動を停止することができる。
【０１４９】
また、本実施の形態によれば、グリップ検知部２６と近接検知部２７が設けられている
ため、ユーザが通話可能な状態か否かを適正に判定することができる。たとえば、制御部２１が、グリップ検知部２６がユーザがグリップしたことを検知したか否かを判定しない場合、ユーザが、電波送信アンテナ１０付近と電界検知アンテナ１２付近を把持すると、ユーザが通話するための体制を整えていないにも関わらず、制御部２１は、ユーザが通話可能状態であると誤検知して通話処理（Ｓ１２３）を実行する。これに対し、本実施の形態によれば、まず、グリップ検知部２６がユーザがグリップしたことを検知し、その後、近接検知部２７がユーザが携帯電話機１を耳に近付けたかを検出するため、ユーザが通話するための体制を整えているか否かを適正に判定することができる。
【０１５０】
さらに、本実施の形態によれば、ユーザが携帯電話機１をグリップすると、自動的にディスプレイ３に着信画面Ｒ１が表示されるため、ユーザは、ディスプレイ３を点灯するためのボタン等を押す動作を省略することができる。また、携帯電話機１を耳に近付けた状態から携帯電話機１を遠ざけると、自動的にディスプレイ３に通話画面Ｔ１が表示されるため、ユーザは、ディスプレイ３を点灯するためのボタン等を押す動作を省略することができる。
【０１５１】
＜制御処理の変更例１＞
上記実施の形態では、ユーザが携帯電話機１をグリップしていない状態では、ディスプレイ３を非表示にすることで第三者に発信者の情報が安易に漏洩することが抑制される。これに対し、変更例１では、ディスプレイ３に着信画面は表示するが、着信画面において電話番号、名前を非表示にすることにより、セキュリティが高められる。
【０１５２】
図１５は、変更例１に係る着信制御処理を示すフローチャートである。図１５は、図１０のフローチャートを一部変更するものである。図１６は、変更例１に係る着信制御時における携帯電話機１のディスプレイ３の画面表示例を示す図である。
【０１５３】
図１５を参照して、制御部２１は、設定内容に応じて、着信音の鳴動、および着信振動を開始すると（Ｓ１０３）、着信直後の着信画面に対してセキュリティ設定がされているか否かを判定する（Ｓ３０１）。なお、着信直後の着信画面に対するセキュリティ設定の有無は、設定アプリケーション等を用いてユーザによりあらかじめ設定されている。
【０１５４】
着信直後の着信画面に対するセキュリティ設定がされている場合（Ｓ３０１：ＹＥＳ）、制御部２１は、図１６の左上の図に示すように、ディスプレイ３に着信画面Ｒ２を表示する（Ｓ３０２）。着信直後の着信画面に対するセキュリティ設定がされていない場合（Ｓ３０１：ＮＯ）、制御部２１は、図１６の左下の図に示すように、ディスプレイ３に着信画面Ｒ１を表示する（Ｓ１０９）。
【０１５５】
着信画面Ｒ２には、着信中であることを示すメッセージのみが表示され、発信者の電話番号と、記憶部２２に登録された電話番号に対応する名前等は表示されない。
【０１５６】
グリップ検知部２６がユーザのグリップを検知すると（Ｓ１０５：ＹＥＳ）、制御部２１は、着信音、および着信振動を停止する（Ｓ１０７）。そして、制御部２１は、着信画面Ｒ１をディスプレイ３に表示する（Ｓ１０８）。これにより、図１６の中央上部の図のように、着信音、および着信振動が停止された状態で、着信画面Ｒ１がディスプレイ３に表示される。
【０１５７】
本変更例の構成とすれば、着信直後のユーザが携帯電話機１をグリップしていない状態では、ディスプレイ３に電話番号、名前等が表示されないため、発信者の情報が第三者に安易に知られることを防ぐことができる。
【０１５８】
また、本変更例の構成とすれば、着信音や着信振動の設定を行えないような状況であっても、セキュリティを高めつつ、ユーザに着信を報知することができる。
【０１５９】
＜制御処理の変更例２＞
変更例２では、上記実施の形態の制御処理に加え、近接検知に応じてマイクロフォン５を自動的にミュートする制御処理を実行する。
【０１６０】
図１７は、変更例２に係る通話制御処理を示すフローチャートである。図１７は、図１２のフローチャートに処理を一部追加するものである。図１８は、変更例２に係る着信制御時における携帯電話機１のディスプレイ３の画面表示例を示す図である。
【０１６１】
図１７を参照して、近接検知部２７が、物体が離れたことを検知した場合（Ｓ２０２：ＹＥＳ）、制御部２１は、ミュート設定がされているか否かを判定する（Ｓ５０１）。なお、ミュート設定の有無は、設定アプリケーション等を用いてユーザによりあらかじめ設定されている。
【０１６２】
ミュート設定がされている場合（Ｓ５０１：ＹＥＳ）、制御部２１は、マイクロフォン５に対する音声入力を遮断する（Ｓ５０２）。そして、制御部２１は、図１８の右下の図に示すようにミュートアイコン１１４が強調された状態の通話画面Ｔ１をディスプレイ３に表示する（Ｓ２０５）。なお、ユーザによりミュートアイコン１１４に対するタップ操作がなされると、制御部２１は、マイクロフォン５に対する音声入力の遮断を解除する。
【０１６３】
ミュート設定がされていない場合（Ｓ５０１：ＮＯ）、制御部２１は、マイクロフォン５に対する音声入力を遮断せずに、図１３の右下の図に示すようにミュートアイコン１１４が強調されていない状態の通話画面Ｔ１をディスプレイ３に表示する（Ｓ２０５）。
【０１６４】
図１２に戻り、通話画面Ｔ１をディスプレイ３に表示すると、制御部２１は、近接検知部２７が、物体が近づいたことを検知したか否かを判定する（Ｓ２０６）。
【０１６５】
近接検知部２７が、物体が近づいたことを検知した場合（Ｓ２０６：ＹＥＳ）、制御部２１は、マイクロフォン５に対する音声入力が遮断されているか否かを判定する（Ｓ５０３）。
【０１６６】
マイクロフォン５に対する音声入力が遮断されている場合（Ｓ５０３：ＹＥＳ）、制御部２１は、マイクロフォン５に対する音声入力の遮断を解除する（Ｓ５０４）。その後、制御部２１は、ディスプレイ３を非表示にし（Ｓ２０８）、処理をＳ２０２に戻す。
【０１６７】
マイクロフォン５に対する音声入力が遮断されていない場合（Ｓ５０３：ＮＯ）、制御部２１は、図１８の右上の図に示すように、ディスプレイ３を非表示にし（Ｓ２０８）、処理をＳ２０２に戻す。
【０１６８】
その後、制御部２１は、着信が切断されるまで（Ｓ２０３：ＹＥＳ、Ｓ２０７：ＹＥＳ）、物体が近接しているか否かを検知しつつ、通話処理を繰り返す。
【０１６９】
本変更例の構成とすれば、ユーザが通話中に携帯電話機１を耳から遠ざけると、自動的にマイクロフォン５に対する音声入力が遮断されるため、ユーザは、音声入力を遮断するためにミュートアイコン１１４に対してタップ操作を行う手間を省くことができる。
【０１７０】
また、本変更例の構成とすれば、ユーザが通話中に携帯電話機１を耳から遠ざけることにより、迅速にマイクロフォン５に対する音声入力を遮断することができる。したがって
、通話先に伝えたくない会話、音声等を伝えてしまうことを防ぐことができる。
【０１７１】
＜制御処理の変更例３＞
変更例３では、上記実施の形態の制御処理に加え、バックタッチパネル７を利用したボリューム調整の制御処理を実行する。
【０１７２】
図１９（ａ）、図１９（ｂ）は、変更例３に係る通話制御処理を示すフローチャートである。図１９（ａ）、図１９（ｂ）は、図１２のフローチャートに処理を一部追加するものである。図１９（ｃ）は、携帯電話機１の背面を示す模式図、図１９（ｄ）は、通話時の状況を示す模式図である。
【０１７３】
図１２に示す通話制御処理において、携帯電話機１がユーザの耳に近付けられている場合（Ｓ２０１、Ｓ２０３：ＮＯ）、制御部２１は、バックタッチパネル７に対してフリック操作がなされたか否かを判定する（Ｓ６０１）。バックタッチパネル７に対してフリック操作がなされた場合（Ｓ６０１：ＹＥＳ）、制御部２１は、フリック操作に応じて通話スピーカ６のボリューム調整を行う（Ｓ６０２）。
【０１７４】
また、携帯電話機１がユーザの耳に近付けられていない場合も同様に（Ｓ２０５、Ｓ２０７：ＮＯ）、制御部２１は、バックタッチパネル７に対してフリック操作がなされたか否かを判定する（Ｓ６０３）。バックタッチパネル７に対してフリック操作がなされた場合（Ｓ６０３：ＹＥＳ）、制御部２１は、フリック操作に応じて通話スピーカ６のボリューム調整を行う（Ｓ６０４）。
【０１７５】
たとえば、図１９（ｃ）に示すように、バックタッチパネル７に対して、上方向のフリック操作がなされると、制御部２１は、通話スピーカ６のボリュームを上昇させ、下方向のフリック操作がなされると、通話スピーカ６のボリュームを減少させる。
【０１７６】
本変更例の構成とすれば、図１９（ｃ）に示すように、バックタッチパネル７のフリック操作で通話スピーカ６のボリュームを調整することができる。したがって、図１９（ｄ）に示すように、携帯電話機１を耳に近付けたままの状態であっても、ユーザは、容易に通話スピーカ６のボリュームを調整することができる。
【０１７７】
なお、本変更例では、バックタッチパネル７に対して上下方向のフリック操作がなされると、通話スピーカ６のボリュームが調整されたが、これに加えて、バックタッチパネル７に対して左右方向のフリック操作がなされると、マイクロフォン５のボリュームが調整されても良い。さらに、バックタッチパネル７に対する操作は、フリック操作以外のタッチ操作であっても良い。
【０１７８】
＜制御の変更例４＞
また、上記実施の形態および変更例では、着信時にユーザが携帯電話機１をグリップしていなかった場合の着信制御の処理について説明した。変更例４では、着信時にユーザが携帯電話機１をグリップしていた場合の着信制御の処理について説明する。
【０１７９】
図２０は、変更例４に係る着信制御処理を示すフローチャートである。図２０は、図１０のフローチャートを組み合わせて、一部変更するものであり、変更された処理を含む一部の処理のみが示されている。図２１は、変更例４に係る着信制御時における携帯電話機１のディスプレイ３の画面表示例を示す図である。
【０１８０】
図２０を参照し、他の機器から通信部３３へ着信があると、まず、制御部２１は、近接検知部２７を起動する（Ｓ１０１）。そして、制御部２１は、着信時にグリップ検知部２
６がユーザの携帯電話機１へのグリップを検知していたか否かを判定する（Ｓ７０１）。
【０１８１】
着信時にグリップ検知部２６がユーザの携帯電話機１へのグリップを検知していなかった場合（Ｓ７０１：ＮＯ）、制御部２１は、処理を図１０のＳ１０２に進め、上記実施の形態と同様に、携帯電話機１のグリップ状況に応じて、ディスプレイ３の表示、非表示の切り替え、着信音、着信振動等の報知処理のオン、オフを切り替える。
【０１８２】
着信時にグリップ検知部２６がユーザの携帯電話機１へのグリップを検知していた場合（Ｓ７０１：ＹＥＳ）、制御部２１は、着信音または着信振動による報知設定がされているか否かを判定する（Ｓ７０２）。
【０１８３】
着信音または着信振動による報知設定がされている場合（Ｓ７０２：ＹＥＳ）、制御部２１は、設定内容に応じて、着信音の鳴動、および着信振動を開始する（Ｓ７０３）。制御部２１は、着信画面Ｒ１をディスプレイ３に表示する（Ｓ７０４）。これにより、図２１の左上の図のように、着信音鳴動、および着信振動している状態で、着信画面Ｒ１がディスプレイ３に表示される。
【０１８４】
着信音または着信振動による報知設定がされていない場合（Ｓ７０２：ＮＯ）、制御部２１は、着信画面Ｒ１をディスプレイ３に表示する（Ｓ７０４）。
【０１８５】
その後、制御部２１は、図１１の処理をＳ１１３に進め、上記実施の形態同様にグリップ検知部２６の検知状況、近接検知部２７の検知状況に応じて、通話応答、応答保留等の処理を実行する。
【０１８６】
本変更例の構成とすれば、ユーザが携帯電話機１をグリップして操作している状況では、ディスプレイ３が非表示にされず、また、着信音、着信振動等の報知が停止されないため、ユーザは、携帯電話機１の操作中に着信があったことを適正に知ることができる。
【０１８７】
上記の例では、ユーザが、携帯電話機１に耳を近付けるか、受話アイコン１１１を操作することにより、通話に切り替わると、着信音、着信振動が停止することとなる。しかしながら、着信後、所定の時間（ユーザが着信を把握できる程度の時間であり、たとえば、数秒程度）が経過すると、着信音等が自動的に停止してもよい。ユーザは、着信音等が停止した後、携帯電話機を耳に近付けることにより、耳の近距離で着信音等が報知されることを防止できる。
【０１８８】
＜その他＞
以上、本発明の実施の形態および変更例について説明したが、本発明は、上記実施の形態等によって何ら制限されるものではなく、また、本発明の実施の形態も、上記以外に種々の変更が可能である。
【０１８９】
たとえば、上記実施の形態および変更例では、着信が切断されるまで、着信制御処理が継続されたが、所定の時間以上経過した場合は、留守番電話機能が実行されても良い。この場合、制御部２１は、着信制御処理を開始したタイミングで計時処理を開始し、所定の時間に到達したタイミングで、留守番電話機能を実行する。
【０１９０】
本発明は、携帯電話機に限られず、ＰＤＡ（Personal DigitalAssistant）、タブレットＰＣ（Tablet PC）、電子書籍端末等の各種の携帯端末装置に適用可能である。
【０１９１】
この他、本発明の実施形態は、特許請求の範囲に示された技術的思想の範囲内において、適宜、種々の変更が可能である。
【符号の説明】
【０１９２】
２  キャビネット
３  ディスプレイ
５  マイクロフォン
６  通話スピーカ
７  バックタッチパネル
８  外部スピーカ
１０  電波送信アンテナ
１１  電界検知アンテナ
１２  電界検知アンテナ
１３  電波送受信アンテナ
２１  制御部
２３  画像出力部
２５  バックタッチ検出部
２６  グリップ検知部
２７  近接検知部
２８  音声入力部
２９  音声出力部
３３  通信部
Ｒ１  着信画面
Ｒ２  着信画面
【図１】
2014127754.tif 000003
【図２】
2014127754.tif 000004
【図３】
2014127754.tif 000005
【図４】
2014127754.tif 000006
【図５】
2014127754.tif 000007
【図６】
2014127754.tif 000008
【図７】
2014127754.tif 000009
【図８】
2014127754.tif 000010
【図９】
2014127754.tif 000011
【図１０】
2014127754.tif 000012
【図１１】
2014127754.tif 000013
【図１２】
2014127754.tif 000014
【図１３】
2014127754.tif 000015
【図１４】
2014127754.tif 000016
【図１５】
2014127754.tif 000017
【図１６】
2014127754.tif 000018
【図１７】
2014127754.tif 000019
【図１８】
2014127754.tif 000020
【図１９】
2014127754.tif 000021
【図２０】
2014127754.tif 000022
【図２１】
2014127754.tif 000023